(57)【要約】【課題】ＷＴＲＵと少なくとも１つのノードＢとを含む無線通信システムにおいて、ＷＴＲＵとノードＢとの間に確立された少なくとも１つのＤＬ  ＥＵシグナリングチャネルの受信を選択的に有効にするために使用される方法および装置を提供する。【解決手段】Ｅ−ＤＣＨの動作中、ＷＴＲＵは、自身が有する少なくとも１つの確立された標準プロシージャの情報に基いて、ＷＴＲＵとノードＢとの間に確立された少なくとも１つのＤＬ  ＥＵシグナリングチャネルを必要時だけモニタリングする。ＷＴＲＵは、確立された標準プロシージャに従ってＷＴＲＵにより実行される複数のチャネル割り当てプロシージャおよび／またはデータトランスミッションプロシージャのＤＬシグナリングチャネル受信要件を調整し統合する。ＷＴＲＵは、統合したＤＬシグナリングチャネル受信要件に基いて少なくとも１つの特定のＤＬシグナリングチャネルの受信を有効にするか否かを判定する。【選択図】図１
2014222947.tif 000002
【特許請求の範囲】
【請求項１】
無線通信システムにおいて用いて少なくとも１つのダウンリンク（ＤＬ：downlink）チャネルの受信を選択的に有効化するための無線送受信ユニット（ＷＴＲＵ：Wireless Transmit/Receive Unit）であって、
チャネル割り当て要求を送信するように構成された送信器と、
予定されたチャネル割り当て情報を受信するために、少なくとも１つのＤＬシグナリングチャネルの受信を有効化するように構成された受信器であって、前記予定されたチャネル割り当て情報は、前記ＷＴＲＵによって送信された前記チャネル割り当て要求に対応する、受信器と、
を備え、
前記受信器は、チャネル割り当て情報の受信が予定されていないとき、または前記ＤＬシグナリングチャネルの受信が要求されていないときの少なくとも１つにおいて、少なくとも１つのＤＬシグナリングチャネルの受信を無効化するようにさらに構成されている、ＷＴＲＵ。
【請求項２】
前記受信器は、予め定められた時間はまた時間期間において、前記少なくとも１つのＤＬシグナリングチャネルの受信を有効化するようにさらに構成された、請求項１に記載のＷＴＲＵ。
【請求項３】
前記受信器は、定期的に、前記少なくとも１つのＤＬシグナリングチャネルの受信を有効化または無効化するように構成されている、請求項１に記載のＷＴＲＵ。
【発明の詳細な説明】
【技術分野】
【０００１】
本発明は、無線送受信ユニット（ＷＴＲＵ：Wireless Transmit/Receive Unit）と、少なくとも１つのノードＢとを含む無線通信システムに関する。より詳細には、本発明は、ＷＴＲＵとノードＢ（群）との間に確立されたダウンリンク（ＤＬ：DownLink）拡張アップリンク（ＥＵ：Enhanced Uplink）シグナリングチャネルの受信を選択的に有効にするための方法および装置に関する。
【背景技術】
【０００２】
アップリンク（ＵＬ：UpLink）のカバレッジ（coverage）、スループットおよび送信待ち時間を改善するための方法は、第三世代パートナシッププロジェクト（３ＧＰＰ：3rd Generation Partnership Project）のリリース６（Ｒ６）において研究中である。こうした方法の実現を成功させるために、ＵＬ無線リソースのスケジューリングおよび割り当ては、無線ネットワークコントローラ（ＲＮＣ：Radio Network Controller）がノードＢに対する全般的制御を実行し続ける場合であっても、ノードＢが意思決定を行って、ＲＮＣよりも短期で効率的にＵＬ無線リソースを管理できるように、ＲＮＣからノードＢに移されている。
【０００３】
ＥＵの動作（operation）には、ＵＬチャネル割り当てやトランスミッションフィードバック情報といった情報を、ＤＬ  ＥＵシグナリングチャネルを介して、ＷＴＲＵに送信することが必要とされる。ＷＴＲＵは、チャネル割り当ておよびトランスミッションフィードバック情報を受信するために、ＤＬ  ＥＵシグナリングチャネルをモニタリングする。
【発明の概要】
【発明が解決しようとする課題】
【０００４】
ＤＬ  ＥＵシグナリングチャネルが必要時にだけ有効になるように、ＤＬ  ＥＵシグナリングチャネルの受信を制御するための方法および装置が望まれている。
【課題を解決するための手段】
【０００５】
本発明は、ＥＵの動作のために使用される少なくとも１つのＤＬ  ＥＵシグナリングチャネルの受信を選択的に有効にするための方法および装置を提供する。拡張専用チャネル（Ｅ−ＤＣＨ：Enhanced Dedicated CHannel）の動作中、ＷＴＲＵは、ＷＴＲＵが有する少なくとも１つの確立された標準プロシージャの情報（knowledge）に基づいて、ＷＴＲＵと、少なくとも１つのノードＢとの間に確立された少なくとも１つのＤＬ  ＥＵシグナリングチャネルを必要時にだけモニタリングする。ＷＴＲＵは、確立された標準プロシージャにしたがってＷＴＲＵにより実行される複数のチャネル割り当てプロシージャ、および／または、データトランスミッションプロシージャのＤＬシグナリングチャネル受信要件を調整および統合する。ＷＴＲＵは、その統合したＤＬシグナリングチャネル受信要件に基づいて、少なくとも１つの特定のＤＬシグナリングチャネルの受信を有効にするか否かを判定する。
【０００６】
本発明にしたがうと、ＷＴＲＵは、ＥＵの動作中、ＤＬ  ＥＵシグナリングチャネルの受信を絶えず有効にしておく必要はない。その代わりに、ＷＴＲＵは、少なくとも１つの特定のＤＬ  ＥＵシグナリングチャネルの受信を選択的にオン、オフ（すなわち、有効および無効に）できるので、ＷＴＲＵに要求される処理を低減させ、ＤＬシグナリングの誤解釈の可能性を減少させることができる。
【図面の簡単な説明】
【０００７】
【図１】本発明にしたがって動作する無線通信システムを示すブロック図である。
【図２】本発明の一実施形態にしたがう、ＷＴＲＵがＥＵチャネル割り当て要求を送信し、スケジューリング情報を受信することを予定しているときに、ＥＵの動作中、少なくとも１つのＤＬ  ＥＵシグナリングチャネルの受信を選択的に有効にするための方法のステップを含むプロセスを示すフロー図である。
【図３】本発明の別の実施形態にしたがう、ＷＴＲＵがＥ−ＤＣＨデータを送信し、フィードバック情報を受信することを予定しているときに、少なくとも１つのＤＬ  ＥＵシグナリングチャネルの受信を選択的に有効にするための方法のステップを含むプロセスを示すフロー図である。
【発明を実施するための形態】
【０００８】
添付図面とあわせて理解すべき例示する以下の好ましい実施例の記載から、本発明をより詳細に理解することができよう。
【０００９】
以下において、「ＷＴＲＵ」という用語には、ユーザ端末（ＵＥ：User Equipment）、移動局、固定式もしくは移動式加入者ユニット、ページャ、または、無線環境において動作することができるその他の任意の種類のデバイスが含まれるが、これらに限定されるものではない。また、以下において、「ノードＢ」と呼ぶときは、この用語には、基地局、サイトコントローラ、アクセスポイント、または、無線環境におけるその他の任意の種類のインタフェーシングデバイスが含まれるが、これらに限定されるものではない。
【００１０】
本発明の特徴は、集積回路（ＩＣ：Integrated Circuit）に組み入れることもできるし、複数の相互接続コンポーネントを備える回路内に構成することもできる。
【００１１】
図１は、本発明にしたがって動作する無線通信システム１００のブロック図である。このシステム１００は、ＷＴＲＵ１０２、少なくとも１つのノードＢ１０４およびＲＮＣ１０６を含む。ＷＴＲＵ１０２は、Ｅ−ＤＣＨデータバッファ１１２、物理受信制御エンティティ（physical reception control entity）１１４、受信器１１６、送信器１１８、プロセッサ１２０および標準データベース（standards database）１２２を備えている。
【００１２】
ＷＴＲＵ１０２内の送信器１１８は、ノードＢ１０４へのＥＵ送信のためのＵＬ  ＥＵチャネル１０８を介して、ＥＵチャネル割り当て要求（すなわち、レート（rate）要求）をノードＢ（群）１０４に送信する。ＥＵチャネル割り当て要求には、スケジューリング情報を含めることができる。スケジューリング情報として、ＷＴＲＵ１０２のバッファ１１２に記憶されたＥ−ＤＣＨデータのトラフィックボリューム測定（ＴＶＭ：Traffic Volume Measurement）情報と、利用可能なＥＵ送信電力情報とを挙げることができる。
【００１３】
ＥＵチャネル割り当て要求が送信されたあと、ＷＴＲＵ１０２内の受信器１１６は、物理受信制御エンティティ１１４を介してチャネル割り当て情報を得るために、複数のＤＬ  ＥＵシグナリングチャネル１１０1、１１０2、．．．、１１０Nをモニタリングする。ノードＢ（群）１０４は、ＤＬ  ＥＵシグナリングチャネル１１０1〜１１０Nのうちの１つを介して、ＵＬチャネル割り当て情報を送信することにより、ＥＵチャネル割り当て要求に応答する。
【００１４】
システム１００は、ＵＬシグナリングおよびＥ−ＤＣＨデータが双方ともＷＴＲＵ１０２からＵＬ  ＥＵチャネル１０８を介してノードＢ（群）１０４に送信されるように構成されている。ノードＢ（群）１０４から、ＤＬ  ＥＵシグナリングチャネル１１０1〜１１０Nの少なくとも１つを介して、チャネル割り当てに関するスケジューリング情報を受信したあと、ＷＴＲＵ１０２内の送信器１１８は、割り当てられたＵＬ  ＥＵチャネル１０８を介して、Ｅ−ＤＣＨデータを送信する。次いで、ＷＴＲＵ１０２内の受信器１１６は、予定されたＥ−ＤＣＨデータフィードバック情報を得るために、ＤＬ  ＥＵシグナリングチャネル（群）１１０1〜１１０Nをモニタリングする。
【００１５】
Ｅ−ＤＣＨデータの受信に応じて、ノードＢ（群）１０４は、ＤＬ  ＥＵシグナリングチャネル１１０1〜１１０Nを介して、Ｅ−ＤＣＨデータフィードバック情報をＷＴＲＵ１０２に送信する。このフィードバック情報には、ノードＢ（群）１０４が、ＷＴＲＵ１０２がＵＬ  ＥＵチャネル１０８を介して送信したＥ−ＤＣＨデータをデコードするのに成功したか、または、失敗したかに応じて、肯定応答（ＡＣＫ：ACKnowledgement）メッセージまたは否定応答（ＮＡＣＫ：Non-ACKnowledgement）メッセージのどちらか一方が含まれる。ノードＢ（群）１０４はまた、Ｅ−ＤＣＨデータ送信に応じて、追加のチャネル割り当て情報を送信することもできる。この追加情報は、フィードバック情報に含めることもできるし、別の送信として、ＤＬ  ＥＵシグナリングチャネル１１０1〜１１０Nを介して送信することもできる。
【００１６】
ＷＴＲＵ１０２内のアクティブなＥＵプロシージャのステータスを利用して、入力をＷＴＲＵ１０２の物理受信制御エンティティ１１４に提供することができる。物理受信制御エンティティ１１４は、物理層プロセス（physical layer process）と通信して、ＤＬ  ＥＵシグナリングチャネル１１０1〜１１０Nの受信を選択的に有効および無効にする。
【００１７】
本発明にしたがうと、ＷＴＲＵ１０２内の物理受信制御エンティティ１１４は、ＷＴＲＵ１０２に知られたＥＵシグナリングプロシージャによってＤＬ  ＥＵシグナリングチャネル１１０1〜１１０Nの受信が要求されていないときに、その受信を無効にする（すなわち、モニタリングを停止する）。ＷＴＲＵ１０２がＤＬ  ＥＵシグナリングチャネル１１０1〜１１０Nを受信することを要求されていない期間の間は、ＷＴＲＵ１０２に要求される処理と電力消費とが節減され、ＤＬシグナリングの誤解釈の可能性が回避される。
【００１８】
図２は、本発明にしたがう、ＥＵ送信期間に少なくとも１つのＤＬ  ＥＵシグナリングチャネル１１０1〜１１０Nの受信を選択的に有効にするための方法のステップを含むプロセス２００を示すフロー図である。ステップ２０２において、ＷＴＲＵ１０２は、Ｅ−ＤＣＨの動作のためにＲＮＣ１０６により構成され、これによって、ＵＬ  ＥＵチャネル１０８およびＤＬ  ＥＵシグナリングチャネル（群）１１０1〜１１０Nが、ＷＴＲＵ１０２とノードＢ（群）１０４との間に確立される。ＷＴＲＵ１０２が構成された直後には、ＷＴＲＵ１０２は、そのＤＬ  ＥＵシグナリングチャネル（群）１１０1〜１１０Nの受信を有効にすることは要求されない。したがって、ＷＴＲＵ１０２内の物理受信制御エンティティ１１４は、ＤＬ  ＥＵシグナリングチャネル（群）１１０1〜１１０Nの受信を無効にする。
【００１９】
引き続き図２を参照すると、ＷＴＲＵ１０２が、ステップ２０２でＥ−ＤＣＨの動作のために構成されたあと、ＷＴＲＵ１０２は、Ｅ−ＤＣＨデータのバッファ１１２をモニタリングする（ステップ２０４）。ステップ２０６において、ＷＴＲＵ１０２が、バッファ１１２にＥ−ＤＣＨデータがないと判定した場合、ＷＴＲＵ１０２は、バッファ１１２のモニタリングを続け、ＤＬ  ＥＵシグナリングチャネル１１０1〜１１０Nの受信は、ステップ２０４において無効にされたままにされる。ステップ２０６において、ＷＴＲＵ１０２が、Ｅ−ＤＣＨデータがＵＬ  ＥＵチャネル１０８を介した送信において送信待ちの状態にある（すなわち、キューされている）と判定した場合、ＷＴＲＵ１０２は、ＵＬ  ＥＵチャネル１０８を介して、ＥＵチャネル割り当て要求を、Ｅ−ＤＣＨデータと共に、または、Ｅ−ＤＣＨデータ無しで、ノードＢ（群）１０４に送信し、少なくとも１つのＤＬ  ＥＵシグナリングチャネル１１０1〜１１０Nの受信を有効にする（ステップ２０８）。ＷＴＲＵ１０２は、予め定められた、または、計算された待ち（delay）のあと、ＤＬ  ＥＵシグナリングチャネル（群）１１０1〜１１０Nの受信を任意的に有効にすることができる。ＥＵチャネル割り当て要求には、ＴＶＭ情報や利用可能なＥＵ送信電力情報などのスケジューリング情報を含めることができる。
【００２０】
Ｅ−ＤＣＨの動作では、ＷＴＲＵ１０２が送信したＥＵチャネル割り当て要求に応じて、ノードＢ（群）１０４が、無線リソース割り当てをスケジューリングして、ＷＴＲＵ１０２に信号を送信する必要がある。確立されたシグナリングプロシージャにしたがって、ＷＴＲＵ１０２は、ＷＴＲＵ１０２がＥＵチャネル割り当て要求をいつ送信したかを示す情報に基づいて、ＥＵチャネル割り当てを含むＥ−ＤＣＨデータトランスミッションスケジューリング情報が、ノードＢ（群）から、少なくとも１つのＤＬ  ＥＵシグナリングチャネル１１０1〜１１０Nを介して、いつ受信されることが要求または予定されるかを識別する（ステップ２１０）。
【００２１】
ステップ２１２において、ＷＴＲＵ１０２は、ノードＢ（群）から、ＤＬ  ＥＵシグナリングチャネル（群）１１０1〜１１０Nを介して、要求または予定されたスケジューリング情報を受信し、次いで、どのエンティティによっても要求されていない場合は、物理受信制御エンティティ１１４は、ＤＬ  ＥＵシグナリングチャネル（群）１１０1〜１１０Nの受信を無効にする。任意で、ステップ２１４において、ＷＴＲＵ１０２は、設定されている場合は、定期的に受信されるＤＬ  ＥＵシグナリングチャネルスケジューリング情報に基づいて、ＤＬ  ＥＵシグナリングチャネル（群）１１０1〜１１０Nの受信をスケジューリングする。特定のＤＬ  ＥＵシグナリングチャネル（群）１１０1〜１１０Nの受信は、どのＥＵシグナリングプロシージャがＷＴＲＵ１０２においてアクティブになっているかに応じて、有効にされる。
【００２２】
図３は、本発明の別の実施形態にしたがう、ＷＴＲＵ１０２がＥ−ＤＣＨデータを送信し、フィードバック情報を受信することを予定しているときに、ＤＬ  ＥＵシグナリングチャネル１１０1〜１１０Nの受信を選択的に有効にするための方法のステップを含むプロセス３００を示すフロー図である。ステップ３０２において、ＷＴＲＵ１０２は、Ｅ−ＤＣＨの動作のためにＲＮＣ１０６により構成され、これによって、ＵＬ  ＥＵチャネル１０８およびＤＬ  ＥＵシグナリングチャネル（群）１１０1〜１１０Nが、ＷＴＲＵ１０２とノードＢ（群）１０４との間に確立される。ＷＴＲＵ１０２がＥ−ＤＣＨの動作のために構成された直後には、ＷＴＲＵ１０２は、そのＤＬ  ＥＵシグナリングチャネル（群）１１０1〜１１０Nの受信を有効にすることは要求されない。したがって、ＷＴＲＵ１０２内の物理受信制御エンティティ１１４は、ＤＬ  ＥＵシグナリングチャネル（群）１１０1〜１１０Nの受信を無効にする。
【００２３】
引き続き図３を参照すると、ＷＴＲＵ１０２が、ステップ３０２でＥ−ＤＣＨの動作を実行するように構成されたあと、ＷＴＲＵ１０２は、Ｅ−ＤＣＨデータのバッファ１１２をモニタリングする（ステップ３０４）。ステップ３０６において、ＷＴＲＵ１０２が、バッファ１１２にＥ−ＤＣＨデータがないと判定した場合、ＷＴＲＵ１０２は、バッファ１１２のモニタリングを続け、ＤＬ  ＥＵシグナリングチャネル（群）１１０1〜１１０Nの受信は、ステップ３０４において無効にされたままにされる。
【００２４】
プロセス３００のステップ３０８、３１０、３１２および３１４は、ＷＴＲＵ内で並行動作する複数のハイブリッド自動再送要求（Ｈ−ＡＲＱ：Hybrid-Automatic Repeat reQuest）プロセスの各々ごとに、実行することができる。ステップ３０６において、ＷＴＲＵ１０２が、Ｅ−ＤＣＨデータがＵＬ  ＥＵチャネル１０８を介した送信において送信待ちの状態にある（すなわち、キューされている）と判定した場合、ＷＴＲＵ１０２は、各Ｈ−ＡＲＱプロセスごとに、ＵＬ  ＥＵチャネル１０８を介して、Ｅ−ＤＣＨデータを、ＥＵチャネル割り当て要求と共に、または、ＥＵチャネル割り当て要求無しで、ノードＢ（群）１０４に送信し、ＤＬ  ＥＵシグナリングチャネル（群）１１０1〜１１０Nの受信を有効にする（ステップ３０８）。ＷＴＲＵ１０２は、予め定められた、または、計算された待ちのあと、ＤＬ  ＥＵシグナリングチャネル（群）１１０1〜１１０Nの受信を任意的に有効にすることができる。
【００２５】
確立されたシグナリングプロシージャにしたがって、ＷＴＲＵ１０２は、各Ｈ−ＡＲＱプロセスごとに、フィードバック情報がノードＢ（群）１０４からいつ受信されることが要求または予定されるかを識別する（ステップ３１０）。ステップ３１２において、ＷＴＲＵは、ノードＢ（群）１０４からフィードバック情報を受信し、どのエンティティによっても要求されていない場合は、ＤＬ  ＥＵシグナリングチャネル（群）１１０1〜１１０Nの受信を無効にする。任意で、ステップ３１４において、ＷＴＲＵ１０２は、設定されている場合は、定期的に受信されるフィードバック情報に基づいて、ＤＬ  ＥＵシグナリングチャネル（群）１１０1〜１１０Nの受信をスケジューリングする。特定のＤＬ  ＥＵシグナリングチャネル（群）１１０1〜１１０Nの受信は、どのＥＵシグナリングプロシージャがＷＴＲＵ１０２においてアクティブになっているかに応じて、有効にされる。
【００２６】
ＷＴＲＵ１０２は、ＷＴＲＵ１０２がＥ−ＤＣＨデータをいつ送信したかを示す情報に基づいて、ＥＵチャネル割り当てを含むスケジューリング情報が、ＤＬ  ＥＵシグナリングチャネル１１０1〜１１０Nを介して、いつ受信されることが予定されるかを識別する。ＤＬ  ＥＵシグナリングチャネル（群）１１０1〜１１０Nは、ノードＢ（群）１０４から、Ｅ−ＤＣＨ送信のためのフィードバック情報をＷＴＲＵ１０２に提供するためにも使用される。ＷＴＲＵに送信されるフィードバックは、ＷＴＲＵの特定の動作に対応するものなので、ＷＴＲＵは、ＷＴＲＵにおけるフィードバック情報の受信時間を正確に判断することができる。ノードＢ（群）１０４がＤＬ  ＥＵシグナリングチャネル（群）１１０1〜１１０Nを介して送信するフィードバック情報には、Ｈ−ＡＲＱ肯定応答、および／または、ＵＬチャネル割り当て情報を含めることができる。ＷＴＲＵ受信のフィードバックチャネルの例として、３ＧＰＰにおける、Ｈ−ＡＲＱ情報チャネル（ＨＩＣＨ：H-arq Information CHannel）と、相対グラントチャネル（ＲＧＣＨ：Relative Grant CHannel）または絶対グラントチャネル（ＡＧＣＨ：Absolute Grant CHannel）とを挙げることができる。
【００２７】
Ｈ−ＡＲＱの動作は、同期させてもよいし、非同期にしてもよい。同期動作では、ＷＴＲＵ１０２は、ＷＴＲＵ１０２がＤＬ  ＥＵシグナリングチャネル（群）１１０1〜１１０Nを介してフィードバック（ＡＣＫまたはＮＡＣＫ）をいつ受信できるかを正確に分かっており、ＷＴＲＵ１０２は、予め構成されたスケジュールにしたがって、ＤＬ  ＥＵシグナリングチャネル（群）１１０1〜１１０Nの受信を有効にする。非同期Ｈ−ＡＲＱ動作では、ＷＴＲＵは、フィードバックを受信するために、ＥＵ送信の後に続く予め定められた時間期間の間、ＤＬ  ＥＵシグナリングチャネル（群）１１０1〜１１０Nの受信を有効にする。
【００２８】
チャネル割り当てフィードバックは、ノードＢ（群）１０４から、ＤＬ  ＥＵシグナリングチャネル（群）１１０1〜１１０Nを介して、ＷＴＲＵ１０２に送信することもできる。ＷＴＲＵ１０２は、そのチャネル割り当てフィードバック情報用に、シグナリングチャネル（群）１１０1〜１１０Nの受信を有効にすることもできる。ＷＴＲＵ１０２に知られたＥＵチャネル割り当てプロシージャにより、ＷＴＲＵ１０２は、この情報の受信をスケジューリングすることができる。チャネル割り当てフィードバックは、Ｈ−ＡＲＱフィードバックと同期させることもできるし、予め定められた期間にわたって送信することもできるし、特定の定期的反復をもって受信をスケジューリングすることもできる。
【００２９】
ＷＴＲＵ１０２が、チャネル割り当て要求をノードＢ（群）１０４に送信しないが、ＷＴＲＵ１０２が送信した以前のＥＵデータトランスミッション要求すべてが、ノードＢ（群）１０４によって受信されていて、かつ、すべての未処理のＨ−ＡＲＱ送信について、フィードバック情報がノードＢから受信されていた場合、ＷＴＲＵ１０２は、ＤＬ  ＥＵシグナリングチャネル（群）１１０1〜１１０Nの受信を無効にする。
【００３０】
一実施形態では、ＷＴＲＵ１０２は、少なくとも１つのＵＬチャネル１０８を介して、少なくとも１つのチャネル割り当て要求を複数のノードＢ１０４に送信し、ノードＢは、チャネル割り当て要求の受信に応じて、それぞれのダウンリンク（ＤＬ）シグナリングチャネル１１０1〜１１０Nを介して、チャネル割り当て情報をＷＴＲＵ１０２に送信する。
【００３１】
ＷＴＲＵ１０２内のプロセッサ１２０は、標準データベース１２２に記憶されている少なくとも１つの確立された標準プロシージャにしたがってＷＴＲＵ１０２により実行される複数のチャネル割り当てプロシージャのＤＬシグナリングチャネル受信要件を調整および統合し、その統合したＤＬシグナリングチャネル受信要件に基づいて、ＤＬシグナリングチャネル１１０1〜１１０Nのうちの特定のチャネルの受信を有効にするか否かを判定する。標準データベース１２２は、プロセッサ１２０と通信し、少なくとも１つの確立された標準プロシージャに関連付けられた情報をプロセッサ１２０に提供する。送信器１１８は、プロセッサ１２０と通信し、少なくとも１つのＵＬチャネル１０８を介して、少なくとも１つのチャネル割り当て要求をノードＢ１０４に送信する。受信器１１６は、プロセッサ１２０と通信し、ノードＢ１０４から、ＤＬシグナリングチャネル１１０1〜１１０Nを介して、チャネル割り当て情報を受信する。物理受信制御エンティティ１１４は、プロセッサ１２０および受信器１１６と通信する。物理受信制御エンティティ１１４は、プロセッサ１２０が行った判定に基づいて、ＤＬシグナリングチャネル１１０1〜１１０Nのうちの特定のチャネルの受信を有効または無効にする。
【００３２】
別の実施形態では、ＷＴＲＵ１０２は、少なくとも１つのＵＬチャネル１０８を介して、少なくとも１つのデータトランスミッションを複数のノードＢ１０４に送信し、ノードＢ１０４は、データトランスミッションの受信に応じて、それぞれのダウンリンク（ＤＬ）シグナリングチャネル１１０1〜１１０Nを介して、データトランスミッションフィードバック情報をＷＴＲＵ１０２に送信する。
【００３３】
ＷＴＲＵ１０２内のプロセッサ１２０は、標準データベース１２２に記憶されている少なくとも１つの確立された標準プロシージャにしたがってＷＴＲＵにより実行される複数のデータトランスミッションプロシージャのＤＬシグナリングチャネル受信要件を調整および統合し、その統合したＤＬシグナリングチャネル受信要件に基づいて、ＤＬシグナリングチャネル１１０1〜１１０Nのうちの特定のチャネルの受信を有効にするか否かを判定する。Ｅ−ＤＣＨデータバッファ１１２は、プロセッサ１２０と通信し、ＷＴＲＵ１０２が少なくとも１つのＵＬチャネル１０８を介してノードＢ１０４に送信する少なくとも１つのデータトランスミッションに組み入れられるデータをキューする。送信器１１８は、プロセッサ１２０と通信し、少なくとも１つのデータトランスミッションをノードＢ１０４に送信する。受信器１１６は、プロセッサ１２０と通信し、ノードＢ１０４から、ＤＬシグナリングチャネル１１０1〜１１０Nを介して、データトランスミッションフィードバック情報を受信する。物理受信制御エンティティ１１４は、プロセッサ１２０および受信器１１６と通信する。物理受信制御エンティティ１１４は、プロセッサ１２０が行った判定に基づいて、ＤＬシグナリングチャネル１１０1〜１１０Nのうちの特定のチャネルの受信を有効または無効にする。
【００３４】
さらに別の実施形態では、ＷＴＲＵ１０２は、少なくとも１つのＵＬチャネル１０８を介して、少なくとも１つのチャネル割り当て要求と、Ｅ−ＤＣＨデータとを複数のノードＢ１０４に送信し、ノードＢは、少なくとも１つのチャネル割り当て要求と、Ｅ−ＤＣＨデータとの受信に応じて、それぞれのダウンリンク（ＤＬ）シグナリングチャネル１１０1〜１１０Nを介して、チャネル割り当て情報と、Ｅ−ＤＣＨデータに関連付けられたデータフィードバック情報とをＷＴＲＵ１０２に送信する。
【００３５】
ＷＴＲＵ１０２内のプロセッサ１２０は、標準データベース１２２に記憶されている少なくとも１つの確立された標準プロシージャにしたがってＷＴＲＵ１０２により実行される複数のチャネル割り当てプロシージャおよびデータトランスミッションプロシージャのＤＬシグナリングチャネル受信要件を調整および統合し、その統合したＤＬシグナリングチャネル受信要件に基づいて、ＤＬシグナリングチャネル１１０1〜１１０Nのうちの特定のチャネルの受信を有効にするか否かを判定する。標準データベース１２２は、プロセッサ１２０と通信し、少なくとも１つの確立された標準プロシージャに関連付けられた情報をプロセッサ１２０に提供する。送信器１１８は、プロセッサ１２０と通信し、少なくとも１つのＤＬチャネル１０８を介して、少なくとも１つのチャネル割り当て要求と、Ｅ−ＤＣＨデータとをノードＢ１０４に送信する。受信器１１６は、プロセッサ１２０と通信し、ノードＢ１０４から、ＤＬシグナリングチャネル１１０1〜１１０Nを介して、チャネル割り当て情報を受信する。物理受信制御エンティティ１１４は、プロセッサ１２０および受信器１１６と通信する。物理受信制御エンティティ１１４は、プロセッサ１２０が行った判定に基づいて、ＤＬシグナリングチャネル１１０1〜１１０Nのうちの特定のチャネルの受信を有効または無効にする。
【００３６】
本発明の特徴および要素を、好ましい実施形態における特定の組合せをもって、説明したが、各特徴または各要素は、好ましい実施形態の他の特徴および要素なしで単独で使用することもできるし、本発明の他の特徴および要素の有無に関係なく、様々な組合せをもって、使用することもできる。
【図１】
2014222947.tif 000003
【図２】
2014222947.tif 000004
【図３】
2014222947.tif 000005